(57)【特許請求の範囲】
【請求項１】
複数の広告画像を長手方向に配列した、展開時の形状が矩形形状のシート状部材と、
上記シート状部材を長手方向に走行又は停止させるシート状部材走行手段と、
上記シート状部材走行手段の動作を制御して、上記シート状部材を走行又は停止させ、配列された複数の広告画像のいずれかを表出箇所に位置させる走行制御手段と、
上記シート状部材、又は、上記シート状部材の走行と連動して走行するテープに、上記シート状部材の長手方向に間隔を置いて設けられた、それぞれが上記シート状部材上のいずれかの広告画像に関連付けられた複数の記憶媒体と、
上記各記憶媒体に記憶されている情報を読み取る記憶媒体読取手段とを有し、
上記各記憶媒体には、上記シート状部材における長手方向の位置情報を記憶しておき、又は、上記各記憶媒体の設置位置を上記シート状部材における位置を特定できる位置にしておき、上記走行制御手段は、上記各記憶媒体に関連して得た位置情報に基づいて、その記憶媒体に関連する広告画像を上記表出箇所に位置させるように上記シート状部材を走行制御すると共に、
上記各記憶媒体には、関連する広告画像の上記表出箇所での停止時間の情報を記憶しておき、上記走行制御手段は、上記記憶媒体読取手段がいずれかの上記記憶媒体から読み取った停止時間に、上記表出箇所に位置している広告画像の停止している時間を合致させるように上記シート状部材の走行を制御する
ことを特徴とする広告表出装置。
【請求項２】
複数の広告画像を長手方向に配列した、展開時の形状が矩形形状のシート状部材と、
上記シート状部材を長手方向に走行又は停止させるシート状部材走行手段と、
上記シート状部材走行手段の動作を制御して、上記シート状部材を往復動走行又は走行停止させ、配列された複数の広告画像のいずれかを表出箇所に位置させる走行制御手段と、
上記シート状部材、又は、上記シート状部材の走行と連動して走行するテープに、上記シート状部材の長手方向に間隔を置いて設けられた、それぞれが上記シート状部材上のいずれかの広告画像に関連付けられた複数の記憶媒体と、
上記各記憶媒体に記憶されている情報を読み取る記憶媒体読取手段とを有し、
上記各記憶媒体には、上記シート状部材における長手方向の位置情報を記憶しておき、又は、上記各記憶媒体の設置位置を上記シート状部材における位置を特定できる位置にしておき、上記走行制御手段は、上記各記憶媒体に関連して得た位置情報に基づいて、その記憶媒体に関連する広告画像を上記表出箇所に位置させるように上記シート状部材を走行制御すると共に、
上記走行制御手段は、上記シート状部材上の、上記配列で中間位置の広告画像が上記表出箇所に位置している際の停止時間を、上記記憶媒体読取手段がいずれかの上記記憶媒体から読み取ったその広告画像の停止時間に合致させるように上記シート状部材の走行を制御し、かつ、上記シート状部材上の、上記配列で端部位置の広告画像が上記表出箇所に位置している際の停止時間を、上記記憶媒体読取手段がいずれかの上記記憶媒体から読み取ったその広告画像の停止時間より長い時間にするように上記シート状部材の走行を制御する
ことを特徴とする広告表出装置。
【請求項３】
上記各記憶媒体には、関連する広告画像の広告を補助する文字列データを記憶しておくと共に、
文字列データを表示出力する文字列データ表示手段と、
上記記憶媒体読取手段がいずれかの上記記憶媒体から読み取った情報に基づき、上記表出箇所に位置している広告画像に係る文字列データを上記文字列データ表示手段によって表示出力させる文字列表示制御手段とを有する
ことを特徴とする請求項１又は２に記載の広告表出装置。
【請求項４】
上記各記憶媒体には、関連する広告画像の広告を補助する音声・音響データを記憶しておくと共に、
音声・音響データを発音出力する発音出力手段と、
上記記憶媒体読取手段がいずれかの上記記憶媒体から読み取った情報に基づき、上記表出箇所に位置している広告画像に係る音声・音響データを上記発音出力手段に与えて発音出力させる発音出力制御手段とを有する
ことを特徴とする請求項１〜３のいずれかに記載の広告表出装置。
【請求項５】
上記各記憶媒体には、関連する広告画像の有効な表示期限の情報を記憶しておき、
上記走行制御手段は、上記記憶媒体読取手段がいずれかの上記記憶媒体から読み取った有効な表示期限に基づき、表示期限を超えた広告画像の上記表出箇所での停止時間を０又はほぼ０になるように上記シート状部材の走行を制御する
ことを特徴とする請求項１〜４のいずれかに記載の広告表出装置。
【請求項６】
上記各記憶媒体が非接触ＩＣタグであることを特徴とする請求項１〜５のいずれかに記載の広告表出装置。
【発明の詳細な説明】
【０００１】
【発明の属する技術分野】
本発明は広告表出装置に関し、特に、広告画像を択一的に表出可能な装置に適用して好適なものである。
【０００２】
【従来の技術】
多くの人が通過したり存在したりする場所では、例えば、駅構内の通路やホテルのロビーなどでは、広告機能が十分に発揮されるので、視覚的な広告を行う広告表出装置が多く設けられている。
【０００３】
従来の広告表出装置の多くは、透明アクリル板や透明ガラス板に広告画像を印刷し、背面から光線を照射して広告画像を表出させるものであり、表出される広告画像は１画像のものであった。
【０００４】
しかし、１個の広告画像を固定的に表出している場合には、１度見ると、その後は注意を引かなくなり、また、変化がないため視線を再び集めることも容易ではない。
【０００５】
そのため、複数の広告画像を択一的に表出可能な広告表出装置も既に提案されている。
【０００６】
このような複数画像対応の広告表出装置として、透明なシート状部材に、複数の広告画像を設けておき、シート状部材を走行させることで複数の広告画像を択一的に表出可能にした装置が研究、開発されている。シート状部材を利用した複数画像対応の広告表出装置は、プロジェクタやＣＲＴディスプレイなどのビデオ信号を利用するものに比較して、高画質が期待でき、同一画像の長時間の表出でも画面焼けなどを起こすことがないという利点を有する。
【０００７】
【発明が解決しようとする課題】
しかしながら、シート状部材を利用した複数画像対応の広告表出装置も、以下のような課題を有するものである。
【０００８】
広告効果を発揮するためには、広告画像の表出に合わせて、その広告内容に関連する音声を流したり、文字情報を固定表示又はスクロール表示したりすることが有効である。
【０００９】
音声を流す場合であると、例えば、ＩＣメモりなどを利用した記憶装置にデジタル音声信号を記憶しておき、表出面に位置する広告画像に対応するデジタル音声信号を記憶装置から読み出してアナログ音声信号に変換してスピーカから発音出力させる。また、文字情報を表示する場合であると、例えば、ＩＣメモりなどを利用した記憶装置に文字列データを記憶しておき、表出面に位置する広告画像に対応する文字列データを記憶装置から読み出して液晶表示装置などにより表示出力させる。
【００１０】
ところが、シート状部材の走行と記憶装置からの読出しとの同期が、何らかの原因で一度外れると、表出面に位置する広告画像と対応しない音声や文字が出力されることが長く続くという課題がある。シート状部材の走行方向を切り替える際などに同期を復帰させることもできるが、シート状部材の広告画像数が多い場合にはかなり長い時間同期外れが継続する。
【００１１】
また、シート状部材を利用した複数画像対応の広告表出装置の利点として、シート状部材に対する切り張りなどによって、広告画像を追加したり、一部の広告画像を削除したりすることが容易であるという利点がある。
【００１２】
しかしながら、広告画像単位での増減があると、その追加数や削除数が１広告画像であっても、デジタル音声信号や文字列データを記憶している記憶装置内の記憶媒体を取り換えたり、取り換えを実行しない場合であれば記憶装置に対するデータ等の書換を実行したりしなければならないという課題もある。
【００１３】
このような各広告画像に関連する情報を取り出して利用する際の課題は、音声信号や文字列データの取り出し以外でも生じる。例えば、各広告画像によって、表出面での停止時間を変える場合には、各広告画像に関連して停止時間の情報を記憶させておかなければならないが、この場合であっても、シート状部材の走行と表出面の広告画像との同期外れ時の課題や、シート状部材の広告画像を増減させる場合での課題は生じる。
【００１４】
本発明は、以上の点に鑑みなされたものであり、各広告画像に関連する情報を適切に取り出すことができる、また、シート状部材の広告画像数の増減時においても、広告画像に、その広告画像に関連する情報を容易に対応させることができる広告表出装置を提供しようとしたものである。
【００１５】
【課題を解決するための手段】
かかる課題を解決するため、第１の本発明による広告表出装置は、（１）複数の広告画像を長手方向に配列した、展開時の形状が矩形形状のシート状部材と、（２）上記シート状部材を長手方向に走行又は停止させるシート状部材走行手段と、（３）上記シート状部材走行手段の動作を制御して、上記シート状部材を走行又は停止させ、配列された複数の広告画像のいずれかを表出箇所に位置させる走行制御手段と、（４）上記シート状部材、又は、上記シート状部材の走行と連動して走行するテープに、上記シート状部材の長手方向に間隔を置いて設けられた、それぞれが上記シート状部材上のいずれかの広告画像に関連付けられた複数の記憶媒体と、（５）上記各記憶媒体に記憶されている情報を読み取る記憶媒体読取手段とを有し、（６）上記各記憶媒体には、上記シート状部材における長手方向の位置情報を記憶しておき、又は、上記各記憶媒体の設置位置を上記シート状部材における位置を特定できる位置にしておき、上記走行制御手段は、上記各記憶媒体に関連して得た位置情報に基づいて、その記憶媒体に関連する広告画像を上記表出箇所に位置させるように上記シート状部材を走行制御すると共に、（７）上記各記憶媒体には、関連する広告画像の上記表出箇所での停止時間の情報を記憶しておき、上記走行制御手段は、上記記憶媒体読取手段がいずれかの上記記憶媒体から読み取った停止時間に、上記表出箇所に位置している広告画像の停止している時間を合致させるように上記シート状部材の走行を制御することを特徴とする。
【００１６】
また、第２の本発明による広告表出装置は、（１）複数の広告画像を長手方向に配列した、展開時の形状が矩形形状のシート状部材と、（２）上記シート状部材を長手方向に走行又は停止させるシート状部材走行手段と、（３）上記シート状部材走行手段の動作を制御して、上記シート状部材を往復動走行又は走行停止させ、配列された複数の広告画像のいずれかを表出箇所に位置させる走行制御手段と、（４）上記シート状部材、又は、上記シート状部材の走行と連動して走行するテープに、上記シート状部材の長手方向に間隔を置いて設けられた、それぞれが上記シート状部材上のいずれかの広告画像に関連付けられた複数の記憶媒体と、（５）上記各記憶媒体に記憶されている情報を読み取る記憶媒体読取手段とを有し、（６）上記各記憶媒体には、上記シート状部材における長手方向の位置情報を記憶しておき、又は、上記各記憶媒体の設置位置を上記シート状部材における位置を特定できる位置にしておき、上記走行制御手段は、上記各記憶媒体に関連して得た位置情報に基づいて、その記憶媒体に関連する広告画像を上記表出箇所に位置させるように上記シート状部材を走行制御すると共に、（７）上記走行制御手段は、上記シート状部材上の、上記配列で中間位置の広告画像が上記表出箇所に位置している際の停止時間を、上記記憶媒体読取手段がいずれかの上記記憶媒体から読み取ったその広告画像の停止時間に合致させるように上記シート状部材の走行を制御し、かつ、上記シート状部材上の、上記配列で端部位置の広告画像が上記表出箇所に位置している際の停止時間を、上記記憶媒体読取手段がいずれかの上記記憶媒体から読み取ったその広告画像の停止時間より長い時間にするように上記シート状部材の走行を制御することを特徴とする。
【００１７】
第１又は第２の本発明において、上記各記憶媒体には、関連する広告画像の広告を補助する文字列データを記憶しておくと共に、文字列データを表示出力する文字列データ表示手段と、上記記憶媒体読取手段がいずれかの上記記憶媒体から読み取った情報に基づき、上記表出箇所に位置している広告画像に係る文字列データを上記文字列データ表示手段によって表示出力させる文字列表示制御手段とを有することが好ましい。
【００１８】
第１又は第２の本発明において、上記各記憶媒体には、関連する広告画像の広告を補助する音声・音響データを記憶しておくと共に、音声・音響データを発音出力する発音出力手段と、上記記憶媒体読取手段がいずれかの上記記憶媒体から読み取った情報に基づき、上記表出箇所に位置している広告画像に係る音声・音響データを上記発音出力手段に与えて発音出力させる発音出力制御手段とを有することは好ましい。
【００２１】
第１又は第２の本発明において、上記各記憶媒体には、関連する広告画像の有効な表示期限の情報を記憶しておき、上記走行制御手段は、上記記憶媒体読取手段がいずれかの上記記憶媒体から読み取った有効な表示期限に基づき、表示期限を超えた広告画像の上記表出箇所での停止時間を０又はほぼ０になるように上記シート状部材の走行を制御することは好ましい。
【００２３】
第１又は第２の本発明において、上記各記憶媒体が非接触ＩＣタグであることは好ましい。
【００２４】
【発明の実施の形態】
（Ａ）第１の実施形態
（Ａ−１）第１の実施形態の構成
以下、本発明による広告表出装置の第１の実施形態を、図面を参照しながら詳述する。
【００２５】
図１は、この第１の実施形態の広告表出装置１の外観イメージを示す斜視図である。
【００２６】
図１において、この第１の実施形態の広告表出装置１は、幅及び高さに比較して相対的に短い奥行きを有するほぼ直方体の箱形状をなしている。広告表出装置１は、上下方向には下側から、設置台座２、広告画像表出部３及び補助広告部４を有する。
【００２７】
設置台座２は、当該広告表出装置１を安定的に設置させるための台座であり、必要に応じて、ボルトなどの挿通孔その他の安定設置のための構成が設けられていても良い。
【００２８】
広告画像表出部３は、後述するシート状部材１０に描画されている広告画像を外部に表出させる部分であり、回動開閉式の蓋体５を中心に構成されている。蓋体５は、上下左右の枠体（符号省略）と、これら枠体に取り付けられた透明板（例えばガラス板やアクリル板）６とでなる。透明板６は、広告画像を外部に表出させる表出窓部６ａと、この表出窓部６ａの周囲の目隠し部６ｂとかなる。目隠し部６ｂは、当該広告表出装置１の内部機構などが広告画像の看者によって目視されることを防止すると共に、表出窓部６ａとの境界を明確することを通じて広告画像を浮き出すようにさせる機能を担っている。目隠し部６ｂは、例えば、透明板６本体の内面側に黒色シートを貼付することで構成される。
【００２９】
補助広告部４は、その時点で広告画像表出部３に表出されている広告画像と関連する情報を、キャラクタ表示や音声出力（この音声の用語は音響を含む概念とする）で、広告画像の看者に伝達するものである。
【００３０】
この第１の実施形態の場合、補助広告部４の表面には、ＬＥＤがマトリックス状に配列された、キャラクタ表示機能を担っているＬＥＤマトリックス表示装置７と、音声出力機能を担っている後述するスピーカ（図８参照）９９の発音出力を外部に放出し易くしている音出力用多孔部８が設けられている。なお、この第１の実施形態の場合、ステレオ発音出力可能なように一対のスピーカ９９が設けられているので、音出力用多孔部８も一対が設けられている。
【００３１】
図２は、この第１の実施形態の広告表出装置１の広告画像表出部３の内部要部構成を取り出して示す概略斜視図である。図３は、図２におけるIII−III線方向の縦断面図（広告画像表出部３の部分についての縦断面図）であり、図２に示した構成要素以外の構成要素をも示している。図４は、図２における上側の表出面側から見た右側の部分正面図である。図５は、図３におけるＶ−Ｖ線断面図である。
【００３２】
広告表出装置１の広告画像表出部３は、図２に示すように、シート状部材１０、上側巻取軸１１、下側巻取軸１２、上側ガイドローラ１３及び下側ガイドローラ１４を主たる構成要素としている。
【００３３】
シート状部材１０は、後述するように、表出窓部６ａの上下方向の長さより十分に長く、その長手方向の一端は上側巻取軸１１に取り付けられ、他端は下側巻取軸１２に取り付けられており、上側巻取軸１１及び下側巻取軸１２の双方に巻回されている。なお、シート状部材１０の上側巻取軸１１及び下側巻取軸１２への取付方法は任意である。例えば、粘着テープや面ファスナ等の取付具を用いて行っても良く、取付具を用いず、シート状部材１０の捨て巻き（リード）による巻取摩擦抵抗や、シート状部材１０と巻取軸１１、１２との凹凸係合等によるもののみで行っても良い。
【００３４】
上側巻取軸１１から引き出されているシート状部材１０の部分は、上側巻取軸１１に近接して設けられている上側ガイドローラ１３によって鉛直方向に沿うように方向が変換されており、下側巻取軸１２から引き出されているシート状部材１０の部分も、下側巻取軸１１に近接して設けられている下側ガイドローラ１４によって鉛直方向に沿うように方向が変換されている。すなわち、上側ガイドローラ１３及び下側ガイドローラ１４間のシート状部材１０の部分の法線方向の位置が、常時ほぼ同じ位置になるようになされている。
【００３５】
上側巻取軸１１は、シート状部材１０を上動させる際の駆動軸として機能するものであり、一方、下側巻取軸１２は、シート状部材１０を下動させる際の駆動軸として機能するものである。
【００３６】
上側巻取軸１１の一端部（例えば表出面側から見て左端部）側には、一対のプーリ１５及び１６並びにベルト１７でなる運動伝達機構（スプロケット及びチェーンでなるような他の運動伝達機構でも良い）を介して、モータ（上側モータ）１８の駆動力が伝達されるようになされている。
【００３７】
一方、上側巻取軸１１の他端部（例えば表出面側から見て右端部）側は、一対のプーリ１９及び２０並びにベルト２１でなる運動伝達機構（スプロケット及びチェーンでなるような他の運動伝達機構でも良い）を介して、電気的に制動力を可変し得るパウダーブレーキ２２に連結されており、このパウダーブレーキ２２によって、上側巻取軸１１の回転を抑制可能になされている。
【００３８】
同様に、下側巻取軸１２の一端部（例えば表出面側から見て左端部）側には、一対のプーリ２３及び２４並びにベルト２５でなる運動伝達機構を介して、モータ（下側モータ）２６の駆動力が伝達されるようになされている。
【００３９】
また、下側巻取軸１２の他端部（例えば表出面側から見て右端部）側は、一対のプーリ２７及び２８並びにベルト２９でなる運動伝達機構を介して、電気的に制動力を可変し得るパウダーブレーキ３０に連結されており、このパウダーブレーキ３０によって、下側巻取軸１２の回転を抑制可能になされている。
【００４０】
上側巻取軸１１及び下側巻取軸１２のそれぞれの、少なくともモータ１８、２６との連結端部側には、シート状部材１０の幅方向の位置を規制する、上側巻取軸１１あるいは下側巻取軸１２にシート状部材１０を最大に巻き取った際の巻径より径の大きい、例えば、円板等の幅方向位置規制部３１、３２が設けられている。
【００４１】
なお、上側巻取軸１１及び下側巻取軸１２の他端側にも、幅方向位置規制部が設けられていても良く、上側ガイドローラ１３や下側ガイドローラ１４にも、幅方向位置規制部が設けられていても良い。
【００４２】
上側巻取軸１１や下側巻取軸１２、上側ガイドローラ１３や下側ガイドローラ１４は、その設置位置が上か下かの相違があるが、同一部材を適用することができ、仮に、それに対するモータ１８、２６やパウダーブレーキ２２、３０も上下の違いに関係なく、同一部材を適用しようとすると（例えばこれら部材をユニット化すると）、第１の実施形態とは異なって、上側モータ１８を表出面側から見て「左側」に設けたならば、下側モータ２６を表出面側から見て「右側」に設けることを要する。
【００４３】
しかしながら、この第１の実施形態では、上述したように上側モータ１８及び下側モータ２６を同一サイドに設けている。これは、シート状部材１０を上動させている際でも下動させている際でも、その進行方向が鉛直方向に正しく沿って、僅かな蛇行や斜行をも防止しようとしたためであり、さらには、メンテナンス性の向上のためである。以下、上側モータ１８及び下側モータ２６を同一サイドに設けると、シート状部材１０の僅かな蛇行や斜行を防止できることを説明する。
【００４４】
広告画像の表出窓部６ａの上下方向の長さは、例えば１〜３ｍ程度であり、上側巻取軸１１及び下側巻取軸１２間の距離もそれに応じているので、かなりの距離をシート状部材１０が走行することとなる。このような場合において、幅方向の位置を規制する、意図した構成や方法を適用しなければ、シート状部材１０の蛇行や斜行が生じることもあり得る。
【００４５】
ところで、試作や耐久性試験などを繰り返すと、巻取軸（１１や１２）を回転させていくと、シート状部材１０を巻き取り、巻き戻しするに連れて、その駆動力が導入されている端部側（モータが設けられている端部側）に、巻取軸（１１や１２）におけるシート状部材１０の幅方向の位置がごく僅かずつではあるがスライドしていく現象が生じた。このスライドは、巻取軸（１１や１２）が剛性体でできているとはいえ、微視的に見た場合には、駆動力が導入されている端部側が先に進んでいるねじれが生じており、シート状部材１０に対する引張ベクトルが、意図している進行方向のベクトル成分だけでなく、駆動力が導入されている端部側に向かうベクトル成分をも有するために生じていると考えられる。
【００４６】
以上のような駆動力が導入されている端部側（モータが設けられている端部側）にシート状部材１０の幅方向の位置がスライドしていく性質を考慮すると、上下のモータ１８及び２６を異なるサイドに設けた場合には、上動と下動でスライド方向が異なるので、斜行が生じやすく、シート状部材１０の材質の均一性によっては蛇行も生じやすい。
【００４７】
これに対して、この第１の実施形態のように、上下のモータ１８及び２６を同一のサイドに設けた場合には、上動と下動でスライドしようとする方向が同じになり、そのスライド方向のベクトル成分を、幅方向位置規制部３１、３２からの抗力で相殺することにより、上動時及び下動時の双方共に、シート状部材１０を意図した方向にのみ走行させることができ、蛇行や斜行を防止することができる。
【００４８】
パウダーブレーキ２２及び３０はそれぞれ、基本的には、自己が連結されている上側巻取軸１１又は下側巻取軸１２の他方の下側巻取軸１２又は上側巻取軸１１が、シート状部材１０を走行させるための駆動軸になっているときに、後述する制御部９５（図７参照）によって制動力が制御されるものであり、これにより、シート状部材１０の走行時のテンションが制御されるようになされている。
【００４９】
このテンション制御機能により、シート状部材１０の走行時の波打ちなどを防止することができる。
【００５０】
なお、上述した上側巻取軸１１や下側巻取軸１２、上側ガイドローラ１３や下側ガイドローラ１４などは、中実のものであっても良く、中空のものであっても良く、さらに、その材質は問われないものである。しかし、装置のコストを抑えたり、装置の軽量化を図ったりする面からは、例えば、以下のようにしても良い。すなわち、市販されている汎用のアルミニュウムパイプを所定長さに切断し、その両端に、軸首部材や幅方向位置規制部３１、３２などを取り付けて、上側巻取軸１１や下側巻取軸１２、上側ガイドローラ１３や下側ガイドローラ１４などを構成することが好ましい。
【００５１】
なお、アルミニュウムパイプを上側巻取軸１１や下側巻取軸１２に利用した場合には、中実のアルミニュウムなどの金属筒を利用した場合に比べ、モータ１８、２６の駆動力を受ける端部側が進むねじりが大きくなるが、上述のように、モータ１８及び２６を同一のサイドに設け、かつ、その端部側に幅方向位置規制部３１、３２を設けることにより、そのねじりに伴う蛇行や斜行を防止することができる。
【００５２】
この第１の実施形態の場合、上側ガイドローラ１３又は下側ガイドローラ１４の少なくとも一方の端部側には、ロータリエンコーダ２００が設けられている。図示のものは、下側ガイドローラ１４の、モータ２６と同一の端部側にロータリエンコーダ２００が設けられている。ロータリエンコーダ２００は、光学式、磁界式などのいずれのものでも良く、下側ガイドローラ１４の回転量（及び回転方向）を、言い換えると、シート状部材１０の走行量（及び走行方向）を、後述する制御部９５を与えるものである。
【００５３】
なお、上側巻取軸１１や下側巻取軸１２は、シート状部材１０の巻き量が常時変化するので、上側巻取軸１１や下側巻取軸１２にロータリエンコーダを設けても、シート状部材１０の走行量を正しく計測できない恐れがある。また、上側巻取軸１１及び上側ガイドローラ１３間や、下側巻取軸１２及び下側ガイドローラ１４間には、図３に示すように、シート状部材１０がＳ字状に掛け渡されているので、上側ガイドローラ１３や下側ガイドローラ１４に対するシート状部材１０の空滑りはほとんど考えられず、下側ガイドローラ１４（及び又は上側ガイドローラ１３）にロータリエンコーダ２００を設けることにより、シート状部材１０の走行量（及び走行方向）を正しく計測することができる。
【００５４】
また、第１の実施形態の広告表出装置１は、表出窓部６ａに対向している広告画像（シート状部材１０の部分）を明確に表出させるため、その部分を照明する構成を備えている。すなわち、シート状部材１０の裏面側を、装置の幅方向に延長されている蛍光灯３３（３３ａ及び３３ｂ）と、蛍光灯３３からの出射光をシート状部材１０の方向に拡散して向ける反射板３４（３４ａ及び３４ｂ）とが設けられている。
【００５５】
この第１の実施形態の場合、広告画像を表出させる表出窓部６ａは上述したようにかなりの面積を有するので、図１に示すように、２本の蛍光灯３３ａ及び３３ｂを適用しており、それに対応して、２個の反射板３４ａ及び３４ｂが設けられている。図１に示したものは、蛍光灯３３ａ及び３３ｂを装置の幅方向に延長させているので、各反射板３４ａ、３４ｂも、蛍光灯３３ａ、３３ｂからの出射光を上下方向に拡散し、幅方向には拡散しないものとなっている。
【００５６】
なお、蛍光灯の本数は任意であり、その延長方向も任意である。また、蛍光灯以外の光源を用いた照明構成を適用しても良いことは勿論である。さらに、裏面側からではなく表面側から照明しても良く、表裏両面側から照明しても良い。さらにまた、当該広告表出装置１が屋外に設置されるものであれば、照明構成を省略することも可能である。
【００５７】
ここで、反射板３４ｂの下側端縁には、絶縁部材（符号は省略）を介して、静電気除去ブラシ２０１が設けられている。なお、他方の反射板３４ａの上側端縁にも静電気除去ブラシが設けられていても良い。静電気除去ブラシ２０１の基部は、例えば、図示しないアース線などを介してアースされている。
【００５８】
シート状部材１０は、上側ガイドローラ１３及び下側ガイドローラ１４との摩擦や、上側巻取軸１１及び下側巻取軸１２との摩擦や、上側巻取軸１１及び下側巻取軸１２に巻回されたシート状部材１０同士の摩擦などや、シート状部材１０が波打ち走行した際の透明板６との接触などによって静電気が帯電し易い。そのため、静電気除去ブラシ２０１が設けられている。
【００５９】
ここで、静電気除去ブラシ２０１の位置を、反射板３４ｂの下側端縁より下方としたのは、以下の理由による。
【００６０】
第１に、蛍光灯３３ａ及び３３ｂの光線を静電気除去ブラシ２０１が遮ることによる静電気除去ブラシ２０１の影は、表出窓部６ａ外のシート状部材１０の部分にでき、すなわち、看者に見えない位置にできるためである。
【００６１】
第２に、静電気除去ブラシ２０１の反対側に金属性の構成要素が多い位置では、静電気の除去機能が低くなる。例えば、上側巻取軸１１及び下側巻取軸１２の近傍などでは静電気の除去機能が低くなり、そのため、上記のような位置に設定した。
【００６２】
上側巻取軸１１の左右の端縁、下側巻取軸１２の左右の端縁、上側ガイドローラ１３の左右の端縁、及び、下側ガイドローラ１４の左右の端縁はそれぞれ、当該広告表出装置１の左右の側板５０、５１に設けられているベアリングによって回転自在に支持されている。なお、図４では、上側巻取軸１１の右の端縁、上側ガイドローラ１３の右の端縁を指示するベアリング５３、５５が図示されており、図５では、それらに加え、上側巻取軸１１の左の端縁、上側ガイドローラ１３の左の端縁を指示するベアリング５２、５４も図示されている。
【００６３】
また、透明板６の正面から見て左側の目隠し部６ｂの上下方向の裏面中央部には、後述する非接触ＩＣタグ２０３（２０３−１〜２０３−４；図６参照）の格納情報（図７参照）を読み取って後述する制御部９５（図８参照）に与えるタグリーダー２０２が設けられている。なお、タグリーダー２０２の位置は、この位置に限定されるものではなく、例えば、シート状部材１０に対する非接触ＩＣタグ２０３の設置位置に応じて他の位置に変更しても良い。なお、タグリーダー２０２と非接触ＩＣタグ２０３との交信距離は、近接する２個の非接触ＩＣタグ２０３間の距離より短くなっていることが好ましい。
【００６４】
図６は、シート状部材１０を装置から取り外して引き延ばした状態、又は、装置に装着する前のシート状部材１０を引き延ばした状態を示す平面図である。
【００６５】
シート状部材１０は、図６に示すように、広告画像の表出窓部６ａより僅かに大きい、しかも、表出窓部６ａと同様な形状を有する広告画像が描かれている、複数（図６では４個）の広告画像領域（以下、場合によっては「コマ」と呼ぶ）７０−１〜７０−４を、長手方向（シート状部材１０の往復動方向）に配設した構成を有する。
【００６６】
シート状部材１０の上端及び下端にはそれぞれ、上側巻取軸１１及び下側巻取軸１２との取り付けしろとしての捨て巻き部７１Ｕ及び７１Ｄが設けられている。また、各広告画像領域間は、広告画像領域を明確に区画すると共に、広告画像領域を構成するシートを貼付したりする際のマージンとして機能する連結部７２−１、７２−２、７２−３が設けられている。
【００６７】
ここで、完成前のシート状部材（シート基材）として、各広告画像領域の位置が透孔になっているものを用意し、描画されている広告画像が異なるシートを各広告画像領域の位置の透孔を塞ぐように張り付けるなどして、シート状部材１０を完成させても良い。また、完成前のシート状部材（シート基材）として、全体が透光性の１枚のシートでなるものを用意し、描画されている広告画像が異なるシートを各広告画像領域の位置に重ねて張り付けるなどして、シート状部材１０を完成させても良い。さらに、シート基材に対して印刷処理を施してシート状部材１０を完成させても良い。さらにまた、各広告画像領域としてのシート部分をそれぞれ用意し、シート部分を長手方向に接合させていくことで、シート状部材１０を完成させても良い。また、袋体を有するシート基材に対し、広告画像が描画されているシート部分を袋体に挿入してシート状部材１０を完成させても良い。
【００６８】
なお、各広告画像領域７０−１、…、７０−４には必ずしも広告画像が描画されている必要はなく、一部の広告画像領域は広告画像が描画されていなくても良い。例えば、広告画像が表出されていない状態から、広告画像を表出させる状態への切換で、看者の興味をそそるようにする場合には、上述のような白紙の広告画像領域も必要である。
【００６９】
ここで、広告画像の内容は、社会通念上で許される範囲にある限り、いかなるものであって良いことは勿論である。広告画像は、例えば、文字、図形、模様、写真、絵画等、各々単独あるいはこれらを複合したもので構成されていれば良い。また、シート状部材１０に、広告を意図した画像以外の画像が、一部又は全ての広告画像領域に描画されていても良い。このような画像も、この明細書においては、広告画像と呼ぶこととする。
【００７０】
シート状部材１０の右端及び左端（一方の端部だけでも良い）には、広告画像領域の位置管理などに利用される複数のマーク７３Ｒ及び７３Ｌが付されている。マーク７３Ｒ及び７３Ｌは、バーコードなどの位置を示すコードデータであっても良いが、ここでは単に光の透過を阻止するものとする。なお、マーク７３Ｒ及び７３Ｌや、後述する非接触ＩＣタグ２０３以外のシート状部材１０の右端及び又は左端の領域は透光性のものとする。また、マーク７３Ｒが各広告画像領域を区別するものとし、マーク７３Ｌがシート状部材１０の上端及び下端位置の検出用のものとする。
【００７１】
各広告画像領域を区別するマーク７３Ｒは、各広告画像領域の境界部に設けられており、機能的には、駆動中のモータの停止を指示するものである。
【００７２】
シート状部材１０の上端位置の検出用のマーク７３Ｌは、最上部の広告画像領域７０−１より上方に設けられており、下方への駆動中のモータの停止を指示するものであり、シート状部材１０の下端位置の検出用のマーク７３Ｌは、最下部の広告画像領域７０−４より下方に設けられており、上方への駆動中のモータの停止を指示するものである。なお、図６に示したマークの例の場合、上端位置の検出用のマーク７３Ｌは、下動時における最上端の広告画像領域７０−１の停止マークにもなっており、下端位置の検出用のマーク７３Ｌは、上動時における最下端の広告画像領域７０−４の停止マークにもなっている。
【００７３】
マーク７３Ｒ及び７３Ｌは、シート状部材１０に対して印刷あるいはペイント等の処理で形成しても良く、また、マーク用ラベルなどをシート状部材１０に貼付あるいは接着等することで設けるようにしても良い。
【００７４】
各広告画像領域７０−１、…、７０−４の左側の余白部の上下方向の中央部には、非接触ＩＣタグ２０３−１、…、２０３−４がそれぞれ設けられている。なお、他の位置でも良いことは勿論である。非接触ＩＣタグ２０３−１、…、２０３−４は、例えば、カード状、シール状のいずれのものであっても良いが、シール状のものは、容易に貼着や剥離が可能であり、また、屈曲などにも対応できるので好ましい。また、非接触ＩＣタグ２０３−１、…、２０３−４は、電池内蔵型のものであっても良く、タグリーダー２０２からの電波エネルギーを元に送信動作する電池を内蔵しないものであっても良い。なお、非接触ＩＣタグ２０３−１、…、２０３−４に求められている動作が有効に実行される期間は長いので、電池を内蔵しないものが好ましい。
【００７５】
非接触ＩＣタグ２０３−１、…、２０３−４は、そのＩＣタグが隣接配置されている広告画像領域の広告画像に関係する広告補助情報や広告管理情報などを格納しており、タグリーダー２０２によって、その格納情報が読み出されるものである。
【００７６】
非接触ＩＣタグ２０３−１、…、２０３−４の格納情報は、例えば、図７に示すように、ＬＥＤマトリックス表示装置７によってキャラクタ表示される文字列データ（その文字列データの１回の表示時間情報を含んでいても良い）や、スピーカ（図８参照）９９によって発音出力されるための音声・音響データ（その音声・音響データの１回の発音出力時間情報を含んでいても良い）や、広告画像の表示停止時間や、広告画像の有効表示期限（又は広告開始期限）などである。
【００７７】
なお、上記では、各非接触ＩＣタグ２０３−１、…、２０３−４は、隣接する広告画像領域の広告画像に関係する広告補助情報や広告管理情報などを格納していると説明したが、各非接触ＩＣタグ２０３−１、…、２０３−４は、隣接する広告画像領域ではなく、隣接する広告画像領域の上下の広告画像領域の広告画像に関係する広告補助情報や広告管理情報などを格納していても良い。例えば、非接触ＩＣタグ２０３−１は、広告画像領域７０−２の広告画像に関係する広告補助情報や広告管理情報などを格納し、非接触ＩＣタグ２０３−２は、広告画像領域７０−１及び７０−３の広告画像に関係する広告補助情報や広告管理情報などを格納する。このようにした場合には、表出窓部６ａに表示していた広告画像を次の広告画像へ切り替える際のシート状部材１０の動き方（例えば高速−低速−高速−減速で次の広告画像を停止させたり、また、進退動を繰り返しつつ徐々に次の広告画像へ切り替えたりする）の情報をも非接触ＩＣタグ２０３−１〜２０３−４に格納するようにしても良い。
【００７８】
なお、非接触ＩＣタグ２０３−１〜２０３−４に代えて、接触型のＩＣタグを適用しても良く、また、バーコードラベルなどのＩＣメモリを利用しない情報記憶媒体を適用しても良い。
【００７９】
以上のような構成のシート状部材１０は、広告期間（例えば１ヶ月）の経過によって他のシート状部材（１０）と交換される。ここで、シート状部材１０における広告画像領域の数は、交換前後を問わず常に同一数（固定数）であっても良く、広告を必要とする会社の増減などに応じて任意の数に定めても良い。また、広告画像単位に増減できるシート状部材１０であれば、広告画像領域を単位に部分的な交換も実行される。
【００８０】
図２〜図５では図示を省略していたが、マーク７３Ｒ及び７３Ｌを検出するための発光部及び受光部でなる光電センサ（マーク検出センサ）が設けられている。以下、マーク７３Ｒに対応した光電センサを領域位置センサと呼び、マーク７３Ｌに対応した光電センサをシート上下端センサと呼ぶ。
【００８１】
これら領域位置センサ及びシート上下端センサの設置位置は、マーク７３Ｒ及び７３Ｌを検出でき、シート状部材１０の走行を制御できるものであれば、いずれの箇所でも良い。例えば、シート状部材１０の走行時における比較的バタツキが少なく検出精度が良い上側巻取軸１１あるいは下側巻取軸１２の近傍位置、特に、斜め上方から照射される太陽光線等が表出窓部６ａの周囲の目隠し部６ｂ等により影になり誤動作を起こしにくい上側巻取軸１１の近傍位置が好ましい。
【００８２】
なお、光電センサとして、反射型のものを適用することができるが（この場合も本発明の他の実施形態を構成する）、反射型のものの方が、シート状部材１０が波打ち走行している場合の検出精度が、透過型のものより劣る。
【００８３】
また、光電センサを構成する発光部及び受光部間は、５〜１０ｃｍ程度であるが、例えば、３ｍ程度の距離に対応できる発光部及び受光部を適用することが好ましい。これは、シート状部材１０の長期の使用により、その端部が汚れた場合を考慮したものである。そのため、マーク７３の遮光性もかなり大きくしておく。
【００８４】
なお、非接触ＩＣタグ２０３として遮光性のものを適用し、非接触ＩＣタグ２０３がシート状部材１０の位置管理用のマーク７３Ｒ及び７３Ｌの機能を兼ね、位置管理用のマーク７３Ｒ及び７３Ｌを省略するようにしても良い。また、非接触ＩＣタグ２０３に位置管理用の情報（最上位のコマや最下位のコマなど、若しくは、そのコマにおける具体的な位置の情報など）をも記憶しておき、位置管理用のマーク７３Ｒ及び７３Ｌを省略するようにしても良い。
【００８５】
図８は、この第１の実施形態の広告表出装置１における電気的構成を示すブロック図である。
【００８６】
この第１の実施形態の広告表出装置１は、電気的構成として、上述したＬＥＤマトリックス表示装置３、上側モータ１８、下側モータ２６、上側パウダーブレーキ２２、下側パウダーブレーキ３０、領域位置センサ（図８では符号９０で表している）、シート上下端センサ（図８では符号９１で表している）、蛍光灯３３、ロータリエンコーダ２００及びタグリーダー２０２を有すると共に、さらに以下の構成を有する。
【００８７】
電源保護回路９２、電源投入スイッチ９３、操作部９４、制御部９５、モータ駆動部９６、パウダーブレーキ駆動部９７、ＬＥＤ駆動回路９８、スピーカ（２個存在するが、図８ではまとめて１個のように表示している）９９、スピーカ駆動回路１００、及び、異常報知部１０１を有する。
【００８８】
この第１の実施形態の広告表出装置１は、商用電源を電源として想定しており、過電流保護や過電圧保護を行う電源保護回路９２を介して、商用電源を内部に取り込めるようになされている。
【００８９】
電源投入スイッチ９３は、電源保護回路９２を介した商用電源を内部に取り込むものである。
【００９０】
操作部９４は、シート状部材１０に対する広告画像領域の送りに関するコマ送り動作モードを指示する操作などを受け付けてその操作情報を制御部９５に与えるものである。
【００９１】
ここで、コマ送り動作モードとしては自動コマ送りモードと手動コマ送りモードとがある。
【００９２】
自動コマ送りモードは、シート状部材１０の全ての広告画像領域を択一的に、しかも、各広告画像領域に定まっている所定時間ずつ、表出窓部６ａの対向位置に停止させることを自動的に実行する動作モードである。
【００９３】
例えば、最上位置の広告画像領域から最下位置の広告画像領域へ、各広告画像領域の広告画像の表出を順次行い、最下位置の広告画像領域の広告画像の表出がその領域についての所定時間だけ実行されると、今度は、最上位置の広告画像領域へ向けて、各広告画像領域の広告画像の表出を順次行い、最上位置の広告画像領域の広告画像の表出がその領域についての所定時間だけ実行されると、再度、最下位置の広告画像領域へ向けて、各広告画像領域の広告画像の表出を順次行い、以下、このような広告画像領域の切換を繰り返す。
【００９４】
ここで、各広告画像領域の停止時間（表示時間）の情報は、上述した非接触ＩＣタグ２０３（２０３−１〜２０３−４）から得る。なお、非接触ＩＣタグ２０４に停止時間の情報を記憶せずに、制御部９５が内蔵するメモリに書き込んでおくようにしても良い。
【００９５】
また、全ての広告画像領域の停止時間（表示時間）を一定時間にするようにしても良い。この場合において、シート状部材１０を往復動させるため、上端及び下端の広告画像領域７０−１及び７０−４のトータルの停止時間（表示時間）は、中間の広告画像領域７０−２〜７０−３のトータルの停止時間（表示時間）の半分となる。そのため、上端及び下端の広告画像領域７０−１及び７０−４の１回の停止時間（表示時間）を、中間の広告画像領域７０−２〜７０−３の１回の停止時間（表示時間）の倍にしてトータルの停止時間を揃えるようにしても良い。
【００９６】
以上のような自動コマ送りモードにおいては、各広告画像領域の表出窓部６ａでの停止時間を広告管理者は任意に設定できる。ここで、設定できる停止時間は０（すなわち、停止しない）であっても良い。なお、操作者によって停止時間が設定されなかった広告画像領域については、装置が固定的に定めている停止時間を適用する。
【００９７】
手動コマ送りモードは、表出窓部６ａの対向位置の広告画像領域の切換を操作者が直接指示する動作モードである。すなわち、手動コマ送りモードにおいては、操作者によって、表出窓部６ａの対向位置の広告画像領域の切換が指示されない限り、広告画像領域の切換はなされない。
【００９８】
例えば、各広告画像領域に１対１で対応させた操作キー（例えば、この操作キーにはその上から数えて何番目かを表す文字が記載されている）を設け、その操作キーの操作を、その広告画像領域を表出窓部６ａの対向位置に位置させる指令として捉えさせる。この場合には、制御部９５内に、表出窓部６ａに対向している広告画像領域がどの広告画像領域であるかの情報を記憶しておく記憶部が必要となる。また、１広告画像領域だけ上動させることを指示するキーや、１広告画像領域だけ下動させることを指示するキーを設け、１広告画像領域単位での送りを指示させるようにしても良い。さらに、上動又は下動させる広告画像領域の数を数字入力し得るものであっても良い。この場合には、制御部９５内に、表出窓部６ａに対向している広告画像領域が、上又は下から数えて何番目の領域であるかの情報を記憶しておく記憶部が必要となる。
【００９９】
なお、電源投入時に採用するデフォルトモード（例えば、自動コマ送りモード）を定めるものであっても良く、また、電源投入時に、その前の電源遮断時の動作モードを継続させるものであっても良い。また、動作モードを区別するためのモードフラグを、例えば、操作部９４又は制御部９５が保持するものであっても良く、モードスイッチとしてディップスイッチを適用し、そのスイッチ操作子の位置でモードを区別するものであっても良い。
【０１００】
制御部９５は、例えば、ＣＰＵを中心とした制御構成、又は、シーケンサやリレーやリレー接点などのリレーシーケンス制御構成でなる。
【０１０１】
制御部９５は、手動動作モードであれば、操作部９４から、表出窓部６ａの対向位置に位置させる広告画像領域の切換が指示されたときに、広告画像領域（シート状部材１０）の移動動作及び停止動作の全体を制御するものである。また、制御部９５は、自動動作モードであれば、表出窓部６ａの対向位置に位置している広告画像領域の停止時間などに基づいて、広告画像領域（シート状部材１０）の移動動作及び停止動作の全体を制御するものである。制御部９５は、この移動・停止制御時には、領域位置センサ９０やシート上下端センサ９１やロータリエンコーダ２００の出力に基づいて、移動位置などを確認して制御内容を切り換える。
【０１０２】
制御部９５は、広告画像領域の移動動作及び停止動作の制御を、モータ駆動部９６及びパウダーブレーキ駆動部９７に所定の駆動信号や制御信号を与えることで行う。
【０１０３】
また、制御部９５は、表出窓部６ａの対向位置に停止している広告画像領域に応じて、ＬＥＤ駆動回路９８やスピーカ駆動回路１００を制御する。制御部９５は、タグリーダー２０２が非接触ＩＣタグ２０３から読み取って得た文字列データを、ＬＥＤ駆動回路９８内のバッファメモリ９８ａに設定して駆動させたり、タグリーダー２０２が非接触ＩＣタグ２０３から読み取って得た音声・音響データを、スピーカ駆動回路１００内のバッファメモリ１００ａに設定して駆動させたりする。スピーカ駆動回路１００は、デジタルデータでなる音声・音響データをアナログ信号に変換する変換部を内蔵している。
【０１０４】
また、制御部９５は、表出窓部６ａの対向位置に位置している広告画像領域の切換動作時（シート状部材１０の走行時）において、異常が生じたか否かをも監視しており、異常検出時には、モータ１８、２６などを停止させたり、異常報知部１０１に報知起動信号を与えたりする。
【０１０５】
モータ駆動部９６は、制御部９５の制御下で、上側モータ１８及び又は下側モータ２６を駆動制御するものである。
【０１０６】
この第１の実施形態の場合、上側モータ１８及び下側モータ２６としてはブレーキ（ロック機能）を内蔵しているものを適用しており、モータ駆動部９６が行う駆動制御には、上側モータ１８や下側モータ２６のブレーキを外したり、掛けたりすることも含まれる（なお、図８において、「Ｍ」はモータ本体を、「Ｂ」はブレーキを表している）。また、モータ駆動部９６は、制御部９５が指示した速度に応じたモータ駆動信号を与えるものである。例えば、上側モータ１８及び下側モータ２６が誘導モータでなる場合であれば、モータ駆動部９６はインバータを含み、インバータによって、誘導モータに与えるＰＷＭ信号の周期や電圧などを変化させることで速度を可変させる。また、上側モータ１８及び下側モータ２６が３相モータであれば、モータ駆動部９６は、商用電源から３相駆動信号を形成することとなる。
【０１０７】
パウダーブレーキ駆動部９７は、制御部９５の制御下で、上側パウダーブレーキ２２及び又は下側パウダーブレーキ３０を制御するものである。
【０１０８】
上述のように、上側モータ１８及び下側モータ２６はそれ自体がブレーキ（ロック機能）を内蔵するものであるが、モータ内のブレーキはアンロック又はロックしか取り得ず、制動力を可変制御することはできない。そのため、電気的に制動力を可変可能な独立した上側パウダーブレーキ２２及び下側パウダーブレーキ３０を適用し、上述したように、シート状部材１０の走行時のテンションが意図したテンション範囲内の値になるように、パウダーブレーキ駆動部９７によって、上側パウダーブレーキ２２及び又は下側パウダーブレーキ３０の制動力を変化させることとしている。
【０１０９】
上側パウダーブレーキ２２及び下側パウダーブレーキ３０が取り得る制動力の段階は、複数段階であることが好ましい。なお、後述する動作説明では、上側パウダーブレーキ２２及び下側パウダーブレーキ３０はそれぞれ、少なくとも制動力がない状態、制動力が弱い状態、制動力が強い状態の３状態を取り得るものとして説明する。上側パウダーブレーキ２２での制動力が弱い状態及び制動力が強い状態と、下側パウダーブレーキ３０での制動力が弱い状態及び制動力が強い状態とは同一ではない。このことの理由についても後述する。
【０１１０】
ＬＥＤ駆動回路９８は、制御部９５の制御下で、その時点で表出窓部６ａの対向位置に停止している広告画像領域（広告画像）に関連するキャラクタ情報（文字列データ）をＬＥＤマトリックス表示装置７に与えて表示させるものである。なお、ＬＥＤマトリックス表示装置７でのキャラクタ表示は、キャラクタが任意の方向に流れていくような表示であっても良く、また、キャラクタの位置が移動しないような表示であっても良い。
【０１１１】
ここで、キャラクタ列の１回の表示時間は、対応する広告画像領域（広告画像）の停止時間にほぼ等しく、又は、その停止時間の整数分の１にほぼ等しく選定されていることが好ましい。後者の場合には、制御部９５は、各回表示の開始タイミングをもＬＥＤ駆動回路９８に指示する。なお、キャラクタ列の１回の表示時間は、広告画像の停止時間以下の任意の時間であっても良いことは勿論である。
【０１１２】
スピーカ９９は、その時点で表出窓部６ａの対向位置に停止している広告画像領域（広告画像）に関連する情報を音声出力するものである。
【０１１３】
スピーカ駆動回路１００は、制御部９５の制御下で、その時点で表出窓部６ａの対向位置に停止している広告画像領域（広告画像）に関連する音声情報（音声・音響データをアナログ信号に変換したもの）をスピーカ９９に与えて発音出力させるものである。
【０１１４】
なお、音声情報の記憶方法にもよるが、スピーカ駆動回路１００には、符号化音声データの復号回路や音声合成回路などの、記憶情報をスピーカ９９が発音出力できる形態の音声信号に変換するための各種の回路が設けられている。
【０１１５】
ここで、音声の１回の発音出力時間は、対応する広告画像領域（広告画像）の停止時間にほぼ等しく、又は、その停止時間の整数分の１にほぼ等しく選定されていることが好ましい。後者の場合には、制御部９５は、各回出力の開始タイミングをもスピーカ駆動回路１００に指示する。なお、音声の１回の発音出力時間は、広告画像の停止時間以下の任意の時間であっても良いことは勿論である。
【０１１６】
異常報知部１０１は、例えば、ＬＥＤ及び又はブザーでなり、制御部９５から報知起動信号が与えられたときに、異常報知動作を行うものである。
【０１１７】
照明光源としての蛍光灯３３は、電源投入スイッチ９３がオンであれば、制御部９５の制御を受けずに点灯するものであるが、別途、光源点灯スイッチ等を設け、それにより点灯を行うものであっても良い。
【０１１８】
なお、機構的に位置が定まっている上述した構成要素以外の構成要素９２〜１０１の配置位置は、任意である。例えば、全てを装置箱体内の下側に設けても良い。
【０１１９】
なお、既述した構成要素以外の構成要素が設けられていても良いことは勿論である。
【０１２０】
例えば、図８では省略しているが、当該広告表出装置１の内部が、上側モータ１８、下側モータ２６、上側パウダーブレーキ２２、下側パウダーブレーキ３０などの駆動時の発熱により異常動作を引き起こす高温になる可能性があるものであれば、強制的に冷却を行うファンを設けていても良い。
【０１２１】
また例えば、表出窓部６ａの対向位置を走行しているシート状部材１０の部分における左右の端縁を案内する案内部材が設けられていても良い。このような案内部材は、シート状部材１０と対向する部分にブラシ状のモヘア部材等を有することが、シート状部材１０の傷みやばたつきを防止する観点から好ましい。
【０１２２】
（Ａ−２）第１の実施形態の動作
次に、以上のような構成を有する第１の実施形態の広告表出装置１の動作を説明する。なお、以下の説明においては、電源投入スイッチ９３がオン操作されたときには、動作モードとして自動コマ送りモードが自動設定されるものとして、図９及び図１０のフローチャートをも参照しながら行う。
【０１２３】
利用者が電源投入スイッチ９３をオン操作すると、制御部９５は、図９及び図１０に示す一連の処理を開始する。
【０１２４】
制御部９５は、まず最初に、シート上下端センサ９１の出力信号や、内部記憶している表出窓部６ａに対向している広告画像領域のシート状部材１０での位置情報に基づいて、電源投入時において、表出窓部６ａに対向している広告画像領域が最も上の広告画像領域（自動コマ送りモードでの初期領域）であるか否かを判断する（ステップＳＴ１）。
【０１２５】
最も上の広告画像領域でなければ、シート状部材１０を下動させ、表出窓部６ａに最も上の広告画像領域を対向させて停止させる（ステップＳＴ２）。この際の下動、停止動作については後述する。
【０１２６】
以上のようにして自動コマ送りモードでの初期領域である最も上の広告画像領域が、電源投入時に表出窓部６ａに対向していると、又は、最も上の広告画像領域を表出窓部６ａに対向させるようにすると、制御部９５は、モードフラグを自動コマ送りモードに設定すると共に、上下動フラグを上動にセットする（ステップＳＴ３）。
【０１２７】
そして、制御部９５は、表出窓部６ａに対向している広告画像領域（ステップＳＴ３から移行してきたときは最も上の広告画像領域）についての有効表示期限を、タグリーダー２０２が非接触ＩＣタグ２０３から得た情報の中から取り出し、その広告画像領域の広告画像は有効表示期限を超えているか否かを判別する（ステップＳＴ４）。
【０１２８】
広告画像が有効表示期限を超えている場合には、制御部９５は、後述するステップＳＴ８に移行する。このことは、有効表示期限を超えている広告画像を、ほぼ停止時間（表示時間）が０でそのまま通過させることを意味する。
【０１２９】
一方、有効表示期限内の広告画像であれば、制御部９５は、表出窓部６ａに対向している広告画像領域（ステップＳＴ３、ＳＴ４から移行してきたときは最も上の広告画像領域）についての停止時間（表示時間）を、タグリーダー２０２が非接触ＩＣタグ２０３から得た情報の中から取り出して、内蔵する停止時間タイマに設定して停止時間タイマを起動する（ステップＳＴ５）。
【０１３０】
なお、今回停止してこれからの表示に供する広告画像領域が、最も上の広告画像領域及び最も下の広告画像領域の場合には、非接触ＩＣタグ２０３の格納情報から得た停止時間（表示時間）の２倍の時間を、停止時間タイマに設定するようにしても良い。最も上の広告画像領域及び最も下の広告画像領域の停止回数が他の広告画像領域の停止回数の半分であるので、そのことを考慮しないで非接触ＩＣタグ２０３に設定されている場合であれば、上記のようにすれば良い。
【０１３１】
また、制御部９５は、非接触ＩＣタグ２０３から得た情報の中から、表出窓部６ａに対向している広告画像領域についてのキャラクタ列（文字列データ）の１回の表示に要する時間や１回の音声出力に要する時間などを取り出し、それら時間と、広告画像の停止時間から、キャラクタ列の表示回数や音声出力回数や、表示又は音声出力タイミングなどを決定し、それら決定情報と、非接触ＩＣタグ２０３から得た情報中における文字列データや音声・音響データを、ＬＥＤ駆動回路９８やスピーカ駆動回路１００に与えて、キャラクタ表示や発音出力を起動させる（ステップＳＴ６）。
【０１３２】
その後、制御部９５は、現在表出されている広告画像についての停止時間が経過することを待ち受ける（ステップＳＴ７）。
【０１３３】
現在表出されている広告画像についての停止時間が経過すると（ステップＳＴ７で肯定結果）、又は、表出しようとした広告画像の有効表示期限を超えていると（ステップＳＴ３で肯定結果）制御部９５は、モードフラグが自動コマ送りモードのままになっているかを判別する（ステップＳＴ８）。なお、この動作説明の例では、操作部９４に対して、手動コマ送りモードへの切換操作がなされた場合には、制御部９５は、割込み処理を行い、モードフラグを手動コマ送りモードに書き換えられることがなされるものとする。
【０１３４】
手動コマ送りモードになっていると、その手動コマ送りモードでの処理を実行する（ステップＳＴ９）。
【０１３５】
自動コマ送りモードであると、制御部９５は、上下動フラグが上動を指示しているか下動を指示しているかを判別する（ステップＳＴ１０）。
【０１３６】
そして、上下動フラグが上動を指示している場合には、制御部９５は、シート状部材１０を１コマ（広告画像領域）分だけ上動させ（ステップＳＴ１１；図１０参照）、上下動フラグが下動を指示している場合には、制御部９５は、シート状部材１０を１コマ分だけ下動させる（ステップＳＴ１２）。
【０１３７】
ステップＳＴ１１での１コマ分だけの上動処理が終了すると、制御部９５は、表出窓部６ａに新たに対向するようになった広告画像領域が最も下の広告画像領域か否かを判別する（ステップＳＴ１３）。最も下の広告画像領域でなければ、直ちに上述したステップＳＴ４に戻り、一方、最も下の広告画像領域であれば、制御部９５は、上下動フラグを下動を指示するものに書き換えた後（ステップＳＴ１４）、上述したステップＳＴ４に戻る。
【０１３８】
また、ステップＳＴ１２での１コマ分だけの下動処理が終了すると、制御部９５は、表出窓部６ａに新たに対向するようになった広告画像領域が最も上の広告画像領域か否かを判別する（ステップＳＴ１５）。最も上の広告画像領域でなければ、直ちに上述したステップＳＴ４に戻り、一方、最も上の広告画像領域であれば、制御部９５は、上下動フラグを上動を指示するものに書き換えた後（ステップＳＴ１６）、上述したステップＳＴ４に戻る。
【０１３９】
図１０は、ステップＳＴ１１の１コマ分だけの上動処理の詳細を示すフローチャートである。
【０１４０】
１コマ分だけの上動処理に移行すると、制御部９５はまず、上側モータ１８及び下側モータ２６内のブレーキをアンロック状態に切り換え、上側パウダーブレーキ２２を制動力が働かない状態にすると共に、下側パウダーブレーキ３０を制動力が弱い状態に設定する（ステップＳＴ２０）。
【０１４１】
そして、制御部９５は、ロータリエンコーダ２００の出力パルス数の計数値を０クリアすると共に始動時点からの経過時間を計時する内蔵する始動時点経過タイマを起動した後、上側モータ１８を始動させ、ロータリエンコーダ２００からの出力パルス数に基づいた加速制御を行う（ステップＳＴ２１、ＳＴ２２）。
【０１４２】
その後、制御部９５は、ロータリエンコーダ２００からの出力パルス数が、加速制御から定速走行に切り換えるタイミングを規定する第１のパルス数を越えたか否かを判断する（ステップＳＴ２３）。第１のパルス数を越えていなければ、制御部９５は、上述したステップＳＴ２２に戻って加速制御を継続する。
【０１４３】
例えば、上動時の定速走行での速度をＸとすると、始動時点で上側モータ１８に速度Ｘを実行させる駆動信号（電圧）を与えた場合には、速度０から速度Ｘへ急激に速度が変化し、そのため、シート状部材１０のテンションが非常に大きくなり、シート状部材１０を損傷させる恐れがある。
【０１４４】
そのため、加速制御を導入している。加速制御は、例えば、始動直後は、速度Ｘ／Ｎ（Ｎは２以上の整数）を実行させる駆動信号を一定時間Ｔ（ロータリエンコーダ２００からの出力パルス数の所定数分）だけ与え、次の時間Ｔ（ロータリエンコーダ２００からの出力パルス数の所定数分）の間は速度２Ｘ／Ｎを実行させる駆動信号を与え、以下、同様にして、３Ｘ／Ｎ、４Ｘ／Ｎ、…を実行させる駆動信号を一定時間Ｔずつ与え、最終的に速度Ｘにもっていく。
【０１４５】
加速終了タイミングになると、制御部９５は、定速走行（定速上動）に切り換える（ステップＳＴ２４）。定速走行中においては、制御部９５は、始動時点経過タイマの計時時間が、１コマ（広告画像領域）分の上動に要する通常時間（始動から停止までの時間）より長い第１の所定時間を越えないことを確認しながら、ロータリエンコーダ２００からの出力パルス数が減速を開始させるパルス数になるのを待ち受ける（ステップＳＴ２５、ＳＴ２７）。
【０１４６】
ここで、始動時点経過タイマの計時時間が第１の所定時間を越えることは、１コマ分の上動に要する通常時間を越えても、ロータリエンコーダ２００からの出力パルス数が減速を開始させるパルス数にならないので、制御部９５は、上側モータ１８を停止させたり異常報知部９８を起動させるなどの異常発生時の処理を行う（ステップＳＴ２６）。
【０１４７】
モータ始動時点から第１の所定時間を越えておらず、しかも、ロータリエンコーダ２００からの出力パルス数が減速を開始させるパルス数になっていない場合には、制御部９５は、ステップＳＴ２４に戻って定速上動を継続させる。
【０１４８】
ロータリエンコーダ２００からの出力パルス数が減速を開始させるパルス数になると、制御部９５は、下側パウダーブレーキ３０を制動力が強い状態に切り換え、また、減速を開始させるパルス数になった時点からの経過時間を計時する内蔵する減速経過タイマを起動する（ステップＳＴ２８）。
【０１４９】
そして、上側モータ１８に対して減速制御を行う（ステップＳＴ２９）。この減速中にも、制御部９５は、始動時点経過タイマの計時時間が、１コマ分の上動に要する通常時間より長い第１の所定時間を越えたか否か（異常が発生したか否か）を確認し（ステップＳＴ３０）、越えたならば、上側モータ１８を停止させたり異常報知部９８を起動させたりするなどの異常発生時の処理を行う（ステップＳＴ２６）。
【０１５０】
また、減速中には、制御部９５は、減速経過タイマの計時時間が、減速開始時から通常の減速動作で停止マークが検出されるまでに要する時間より長い第２の所定時間を越えたか否か（異常が発生したか否か）を確認し（ステップＳＴ３１）、越えたならば、上側モータ１８を停止させたり異常報知部９８を起動させたりするなどの異常発生時の処理を行う（ステップＳＴ２６）。
【０１５１】
減速期間で異常が検出されていない状態では、制御部９５は、停止マークが検出されたか否かを確認しており（ステップＳＴ３２）、停止マークが検出されていなければ、ステップＳＴ２９に戻って、上側モータ１８に対する減速制御を継続する。
【０１５２】
ここで、上側モータ１８に対する減速制御は、下側パウダーブレーキ３０の制動力を既に強めているので、その速度の段階数を加速時よりかなり少なくしても良い。また、下側パウダーブレーキ３０の強い制動力だけで減速、停止を問題なく実行できるのならば、ステップＳＴ２９での減速制御を省略するようにしても良い。
【０１５３】
停止マークが検出されると、制御部９５は、上側モータ１８の回転を停止させ、上側モータ１８及び下側モータ２６の内部ブレーキを共にロック状態にし、上側パウダーブレーキ２２及び下側パウダーブレーキ３０を共に制動力が働かない状態にし（ステップＳＴ３３）、図９に示した上述したステップＳＴ１３の処理に移行する。
【０１５４】
図１０は、ステップＳＴ１０の１コマ分の上動時の動作を示すものであったが、ステップＳＴ１１の１コマ分の下動時も同様な処理がなされる。
【０１５５】
すなわち、図１０における「上側モータ１８」を「下側モータ２６」に、「下側モータ２６」を「上側モータ１８」に、「上側パウダーブレーキ２２」を「下側パウダーブレーキ３０」に、「下側パウダーブレーキ３０」を「上側パウダーブレーキ２２」に読み替えれば良い。
【０１５６】
ここで、上動は重力方向の逆方向に行われるのに対して、下動は重力方向に沿って行われるので、この第１の実施形態では、上動時の動作と下動時の動作で多少異なるようにしている。
【０１５７】
すなわち、下動時では、上側ガイドローラ１３からシート状部材１０が重力によって引き出される恐れもあるので、上動時に動作する下側パウダーブレーキ３０に比べ、上側パウダーブレーキ２２の弱い制動力や強い制動力を共に、大きくなされている。例えば、相対的に表現して、上動時に動作する下側パウダーブレーキ３０の弱い制動力及び強い制動力が０．１及び２であれば、下動時に動作する上側パウダーブレーキ２２の弱い制動力及び強い制動力を３．５及び９にする。
【０１５８】
また、重力の影響を考慮し、下動時に始動から定速走行に切り換える時間を、上述した上動時に始動から定速走行に切り換える時間より短くしても良い。定速走行での速度自体も、上動時から変化させるようにしても良い。
【０１５９】
また、図１０は、ステップＳＴ１０の１コマ分の上動時の動作を示すものであったが、ステップＳＴ２の最も上の広告画像領域が表出窓部６ａの対向位置まで移動（シート状部材１０を下動）させて停止させる処理も、図１０とほぼ同様になされる。下動時に、モータやパウダーブレーキが図１０とは対称的になっていることは、１コマ分の下動時の処理説明と同様である。
【０１６０】
ステップＳＴ２での最も上の広告画像領域までの移動時においては、図１０のステップＳＴ２４での定速走行の期間を長くすれば良い。すなわち、最も上の広告画像領域までのコマ数に応じて、定速走行の期間（ロータリエンコーダ２００からの出力パルス数）を設定すれば良い。
【０１６１】
次に、手動コマ送りモードでの動作を簡単に説明する。なお、手動コマ送りモードでは、１コマ分の上動又は下動だけを指示できるものとする。
【０１６２】
手動コマ送りモードでの１コマ分の上動処理も、上述した図１０とほぼ同様な処理がなされる。すなわち、加速、定速、減速走行を実行すると共に、その間に異常発生を監視することは同様である。
【０１６３】
しかし、シート状部材１０の走行を開始する前に、以下の処理を行うことが図１０に示したものと異なっている。
【０１６４】
すなわち、１コマ分の上動が指示された制御部９５は、まず最初に、シート上下端センサの出力信号や、内部記憶している現時点で表出窓部６ａに対向している広告画像領域のシート状部材１０での位置情報に基づいて、現時点で表出窓部６ａに対向している広告画像領域が、シート状部材１０の最も下の広告画像領域であるか否かを判断する。そして、最も下の広告画像領域であると、指示された１コマ分の上動を実行できないので、制御部９５は、異常報知部９８によって操作無視の報知を実行させ、最も下の広告画像領域でない場合に、１コマ分の上動（走行）を実行させる。
【０１６５】
なお、制御部９５は、手動コマ送りモードになると、そのことをＬＥＤ駆動回路９８やスピーカ駆動回路１００に通知し、ＬＥＤ駆動回路９８及びスピーカ駆動回路１００は、その通知があると、出力回数などを考慮することなく、非接触ＩＣタグ２０３からの文字列データや音声・音響データに基づくキャラクタ表示や音声出力を繰り返し実行する。
【０１６６】
手動コマ送りモードでの１コマ分の下動処理は、手動コマ送りモードでの１コマ分の上動処理と対称的な処理であるので、その詳細説明は省略する。
【０１６７】
以上では、コマ送り動作が、各コマを区別することなく同一のものを示したが、非接触ＩＣタグ２０３に新たなコマへの移動方法の情報が格納されていたり、制御部９５の内蔵メモリなどに新たなコマへの移動方法の情報が格納されていたりしている場合には、その移動方法に従って移動させるようにしても良い。このような任意の移動方法の場合には、移動開始時点に０クリアしたロータリエンコーダ２００の方向別の出力パルス数に基づいて、速度の変化や移動方向の変化を実行すれば良い。
【０１６８】
例えば、次のコマに向けて１００パルス分だけ順方向に低速移動させ（所定パルス数分の加速制御及び減速制御を含む、以下同様）、５０パルス分だけ逆方向に低速移動させ、これを繰り返して、最終的に次のコマの全体を表出窓部６ａに移動させて停止させる。
【０１６９】
なお、非接触ＩＣタグ２０３に新たなコマへの移動方法の種類情報だけを記憶しておき、具体的な移動方法の情報は、その種類情報に基づいて、制御部９５の内蔵メモリなどから取り出して、その移動方法を実現するようにしても良い。
【０１７０】
また、自動コマ送りモードでも手動コマ送りモードでも、コマに対する非接触ＩＣタグ２０３がない場合には、制御部９５の内蔵メモリに記憶されている非接触ＩＣタグ２０３が存在しないコマ用の情報に従って、文字列や音声・音響の出力動作や、走行の制御動作などを行っても良い。
【０１７１】
（Ａ−３）第１の実施形態の効果
以上のように、第１の実施形態の広告表出装置１によれば、各広告画像に関する広告補助情報（文字列データや音声・音響データなど）や広告管理情報（表示時間や有効表示期限など）を非接触ＩＣタグ２０３に記憶させて、シート状部材１０に設けるようにしたので、制御部９５の内蔵メモリなどのメモリ容量などを削減することができる。
【０１７２】
また、シート状部材１０に対する広告画像の増減の際にも、制御部９５の内蔵メモリなどに対する広告補助情報や広告管理情報の書換を不要とすることができ、広告画像の増減に容易に対応することができる。同様に、同一の広告画像でも、その補助的に表示される文字列の変更や発音出力させる音声などの変更も、格納情報を変えた非接触ＩＣタグ２０３の張り替えなどで容易に対応することができる。
【０１７３】
さらに、非接触ＩＣタグ２０３に位置管理情報なども格納した場合には、専用的な位置管理用のマークなどを削減又は全廃することができる。
【０１７４】
さらにまた、各広告画像に関する広告補助情報が非接触ＩＣタグ２０３に記憶させてシート状部材１０のその広告画像に関連する位置に設けられているので、表出窓部６ａに表出されている広告画像と、表示されたキャラクタ列や発音出力された音声との同期（対応）はとれたものとなる。仮に、何らかの原因で同期が外れたとしても、１コマの送り程度で同期を復帰させることができる。
【０１７５】
なお、上記説明とは異なるが、非接触ＩＣタグ２０３が仮に１個だけ設けられていたとしても、その位置を基準に、表出窓部６ａに表出されている広告画像と、表示されたキャラクタ列や発音出力された音声との同期（対応）をとることができる。また、上記説明とは異なるが、シート状部材１０が往復動ではなく、巡回するものであっても、非接触ＩＣタグ２０３の位置を基準に、表出窓部６ａに表出されている広告画像と、表示されたキャラクタ列や発音出力された音声との同期（対応）を見直すことができる。
【０１７６】
また、各広告画像に関する広告補助情報や広告管理情報を非接触ＩＣタグ２０３に記憶させているので、非接触ＩＣタグ２０３の存在がシート状部材１０の走行にほとんど影響を与えることがない。因みに、接触式のものであれば（他の実施形態となっている）、シート状部材１０の一端部に常時タグリーダーが接触するため、シート状部材１０の寿命などに影響を与える恐れがあり、また、シート状部材１０の波打ち走行時に情報が取り出せない恐れがある。
【０１７７】
さらに、広告補助情報や広告管理情報を非接触ＩＣタグ２０３に記憶させているので、多くの情報を格納し得る。なお、バーコードシール（他の実施形態となっている）などでも、多くの情報を記憶できるのならば適用可能ではあるが、一般的に言えば、非接触ＩＣタグ２０３の方がより多くの情報を格納できるであろう。
【０１７８】
（Ａ−４）第１の実施形態を変形した実施形態
この第１の実施形態を変形した実施形態としては、図１１に示すものを挙げることができる。
【０１７９】
すなわち、シート状部材１０としてエンドレスのものを適用し、これを上側主軸１１Ａ及び下側主軸１２Ａに巡回的に掛け渡し、ある広告画像領域を表出窓部６ａの対向位置に位置させるものであっても良い。
【０１８０】
この図１１の装置において、シート状部材１０の走行方向によって、駆動力となる主軸を、主軸１１Ａ及び１１Ｂで切り替えることもでき、この場合には、第１の実施形態について説明した理由により、主軸１１Ａでの駆動力が付与される端部と、主軸１１Ｂでの駆動力が付与される端部とを、シート状部材１０の幅方向から見て同一サイドとする。
【０１８１】
（Ｂ）第２の実施形態
次に、本発明による広告表出装置の第２の実施形態を、図面を参照しながら簡単に説明する。
【０１８２】
図１２は、第２の実施形態の広告表出装置の電気的構成を示すブロック図であり、第１の実施形態の電気的構成を示す上述した図８との同一、対応部分には同一符号を付して示している。
【０１８３】
第２の実施形態の広告表出装置１Ａは、電源供給構成が、第１の実施形態の広告表出装置１とは異なっており、機構的な構成は第１の実施形態と同様であり、また、電源供給構成以外の電気的構成も第１の実施形態と同様である。
【０１８４】
すなわち、第２の実施形態の広告表出装置１Ａは、自然エネルギー／電気エネルギー変換部１２０を備え、自然エネルギー／電気エネルギー変換部１２０からの電気エネルギーを電源安定化回路１２１を介して、各部に供給するようにしたものである。
【０１８５】
自然エネルギー／電気エネルギー変換部１２０としては、太陽電池や、風力発電機や、水力発電機などを挙げることができる。自然エネルギー／電気エネルギー変換部１２０が太陽電池や風力発電機であれば、例えば、装置筐体の屋外天井部、又は、独立した屋外に設ける。自然エネルギー／電気エネルギー変換部１２０が水力発電機であれば、例えば、装置筐体の側方に、雨水の流路機構と共に設けたり、又は、独立した屋外に設けたりする。
【０１８６】
電源安定化回路１２１は、内部に蓄電機能を備えて、自然エネルギー／電気エネルギー変換部１２０からの電気エネルギーの多少を調整して、安定的に電源を各部に供給するものである。
【０１８７】
この第２の実施形態の広告表出装置１Ａによれば、第１の実施形態と同様な効果を奏する。これに加え、第２の実施形態の広告表出装置１Ａによれば、社会の省エネルギー要求に技術的に応えることができる。
【０１８８】
なお、自然エネルギー／電気エネルギー変換部１２０からの電気エネルギーだけでは常時安定した電源供給ができない場合には、商用電源や蓄電池などを併用するようにしても良い。この場合には、電源安定化回路１２１内に、自然エネルギー／電気エネルギー変換部１２０からの電気エネルギーの蓄電量を監視し、その量によって、供給電源を切り替える構成を設けることを要する。
【０１８９】
（Ｃ）第３の実施形態
次に、本発明による広告表出装置の第３の実施形態を、図面を参照しながら簡単に説明する。
【０１９０】
図１３は、第３の実施形態の広告表出装置１Ｂの要部構成を示す概略図であり、第１の実施形態に係る既述した図面との同一、対応部分には同一、対応符号を付して示している。
【０１９１】
第３の実施形態の広告表出装置１Ｂは、図１３に示すように、装置筐体の表面及び裏面のそれぞれに、表出窓部６ａ１及び６ａ２を設け、各表出窓部６ａ１、６ａ２用にシート状部材１０−１及び１０−２も別個に設けたものであり、各シート状部材１０−１、１０−２を運動させる構成も、２重に設けられている。
【０１９２】
すなわち、２個の上側巻取軸１１−１、１１−２、２個の下側巻取軸１２−１、１２−２、２個の上側ガイドローラ１３−１、１３−２、２個の下側ガイドローラ１４−１、１４−２、２個の上側モータ１８−１、１８−２（図１３では省略）、２個の下側モータ２６−１、２６−２（図１３では省略）、２個の上側パウダーブレーキ２２−１、２２−２（図１３では省略）、２個の下側パウダーブレーキ３０−１、３０−２（図１３では省略）などが設けられている。
【０１９３】
ここで、表面側のシート状部材１０−１に係るモータ１８−１及び２６−１は、同一サイドに設けられ、また、裏面側のシート状部材１０−２に係るモータ１８−２及び２６−２も、同一サイドに設けられており、共に、シート状部材１０−１、１０−２の斜行や蛇行を防止するようにしている。
【０１９４】
なお、各シート状部材１０−１、１０−２のそれぞれに対する広告画像領域を送る制御方法は、第１の実施形態と同様である。
【０１９５】
ここで、各シート状部材１０−１、１０−２のそれぞれに設けられている非接触ＩＣタグ２０３（図１３では省略）を読み取るタグリーダー２０２（図１３では省略）は、両シート状部材１０−１及び１０−２間の中間的な位置に設置した、両シート状部材１０−１及び１０−２に共通なものであっても良い。実際上、タグリーダー２０２として、複数の非接触ＩＣタグ２０３からの同時読み取りが可能なものがあり、非接触ＩＣタグ２０３にどちらのシート状部材１０−１、１０−２に設けられているかの情報を盛り込むことにより、共通なタグリーダー２０２で対応することができる。
【０１９６】
この第３の実施形態の広告表出装置１Ｂによれば、第１の実施形態とほぼ同様な効果を奏する。ここで、第３の実施形態の広告表出装置１Ｂの場合には、装置筐体の表面及び裏面が共に、補助広告機能を含め、広告機能を発揮することができる。
【０１９７】
（Ｄ）他の実施形態
上記各実施形態の説明においても、種々の変形実施形態に言及したが、更に、以下に例示するような変形実施形態を挙げることができる。
【０１９８】
（Ｄ−１）  上記各実施形態においては、同一面に存在する表出窓部６ａが１個のものを示したが、同一面に複数の表出窓部を備え、各表出窓部毎に異なるシート状部材（その移動機構を含め）を対応させたものであっても良い。
【０１９９】
複数の表出窓部６ａは、例えば、上下方向に設けられていても良く、左右方向に設けられていても良く、さらには、対角線方向に設けられていても良く、その配置は任意であって良い。
【０２００】
この場合においては、各表出窓部を考慮して、シート状部材に非接触ＩＣタグを設けたり、及び又は、タグリーダーを設けたりすることを要する。
【０２０１】
（Ｄ−２）  上記各実施形態の説明においても、シート状部材について種々変形実施形態について言及したが、整理又は追記すると、以下の通りである。なお、以下の説明で始めて言及している変形実施形態もある。
【０２０２】
シート状部材に広告画像を描く方法としては、（ａ）シート基材に実際に書くあるいは描画する、（ｂ）転写あるいは複写する、（ｃ）印刷あるいは印字する、等のいずれでも良い。
【０２０３】
シート状部材の形成方法は、以下のいずれの方法でも良い。
【０２０４】
（ａ）１枚状のものに複数のコマを配置しても良く、（ｂ）１コマあるいは隣接する複数のコマ単位で分割されたシートを任意の接続手段にて接続して１枚状のシート状部材を形成させて、結果的に１枚状のものに複数のコマを配置しても良く、さらには、（ｃ）１枚状のものの表面に１コマあるいは隣接する複数コマ単位で広告媒体挿入用の袋状体（写真用のアルバム的なもの）を形成し、その中にフィルムシート等の広告媒体を挿入して複数のコマを配置しても良い。
【０２０５】
なお、上記（ｂ）の場合の接続手段として、スライドファスナや面ファスナ等のファスナ、粘着テープ、ホチキス等のステープル、クリップ等の好ましくはそれぞれの接続部分が取付、取り外し自在又は可能な接続具等を用いると良い。すなわち、シート基材に対する各広告画像領域の取付又は形成は、接着、溶着、縫着、差込、印刷などのいずれであっても良い。
【０２０６】
非接触ＩＣタグ２０３のシート状部材１０への取付も、貼着に限定されず、溶着、縫着、差込などであっても良く、また、袋やファスナなどを利用したものであっても良い。
【０２０７】
上記（ｂ）や（ｃ）を適用した場合の効果としては、広告画像（コマ）を交換する場合において、１枚状のシート状部材全体を交換しなくても任意な部分の広告画像（コマ）をそのもの単位にて交換が可能となることを挙げることができる。
【０２０８】
ここで、非接触ＩＣタグ（より一般的に言えば記憶媒体）は、コマ交換、コマ追加などに併せて行うことが好ましいが、コマ交換などとは独立して行うようにしても良い。また、シート状部材全体を交換した場合にも、交換前のシート状部材に設けられていた非接触ＩＣタグを取り外して新たなシート状部材に装着するようにしても良く、新たなシート状部材には新たな非接触ＩＣタグを設けるようにしても良い。
【０２０９】
また、表出窓部の対向位置にはいずれかの広告画像領域だけが位置するものを示したが、本発明は、これに限定されるものではない。
【０２１０】
例えば、図１４に示すように、シート状部材１０の広告画像領域７０の長手方向（往復動方向）の長さを、表出窓部６ａの長さの半分程度とし、２個の広告画像を表出窓部６ａを介して目視できるものであっても良い。この場合には、移動単位は、表出窓部６ａの長さの半分程度となっていても良く、表出窓部６ａの長さと同程度、すなわち、２個の広告画像単位で移動させるようになっていても良い。同様に、この場合の非接触ＩＣタグ２０３の設置方法も、広告画像単位であっても、２個の広告画像単位であっても良い。
【０２１１】
また、１個の広告画像領域に、図１５（Ａ）や（Ｂ）に示すような、往復動方向に直交する方向や斜め方向に複数の広告画像を設けても良い。
【０２１２】
さらに、図示は省略するが、シート状部材１０に描画されている広告画像が、分割された領域という概念がないものであっても良い。例えば、広告画像全体で一つの広告となり表出窓部６ａの表出箇所に納まらない（部分的にしか目視できない）絵巻き的な広告画像を描画しておき、コマ送り的ではなく、低速でシート状部材１０を常時移動させるものであっても良い。このような場合においても、適用な間隔で非接触ＩＣタグ２０３を設け、補助表示されるキャラクタ列や発音出力される音声などを切り替えるようにしても良い。
【０２１３】
シート状部材１０の材料、種類等も任意であり、可撓性を有するシート状のものなら何を適用しても良い。例えば、フィルム等の合成樹脂製シートや、布、紙、網やネット状のシート、あるいはこれらの複合シート等であっても良く、さらには、パイプ（パイプを並設してシート状的（すだれ的）にしたもの）であっても良い。また、巻き取りや巻き戻し（繰り出し）の動作に影響しないように、これらに静電気防止用の帯電防止処理を施したものであっても良い。
【０２１４】
シート状部材１０の構成も、図６に示したものに限定されず、広告画像領域が並設されているものであれば良い。例えば、図１６に示すように、一対のワイヤ１５０及び１５１に、梯子状に複数の紐１５２を結び、相前後する紐１５２に広告機能を発揮する複数の広告画像単位シート１５３を取り付けたものであっても良い。
【０２１５】
（Ｄ−３）  上記各実施形態においては、シート状部材を装置筐体内に設けたものを示したが、本発明は、これに限定されるものではない。例えば、２重サッシや複層や２重（ペア）ガラスの間にシート状部材の部分を通すようにしても良い。
【０２１６】
言い換えれば、可搬可能な装置として、本発明の広告表出装置が構成されていなくても良く、建造物の一部として実現されても良い。
【０２１７】
（Ｄ−４）  上記各実施形態においては、当該広告表出装置が蓋体を有するものを示したが、シート状部材が外部に露出するようなものであっても良い。例えば、屋内でしかも人間がさわれない位置に設けられる当該広告表出装置であれば、蓋体は必ずしも必要ではない。
【０２１８】
蓋体がない場合には、タグリーダー２０２は、表面側から人間が容易にさわれない位置に設けることが好ましい。
【０２１９】
（Ｄ−５）  上記各実施形態では、シート状部材に対して、同一の広告画像が描画された広告画像領域が設けられていないような説明をしたが、同一の広告画像が描画された広告画像領域を複数設けるようにしても良い。
【０２２０】
例えば、シート状部材の広告画像領域数が多い場合には、広告に力を入れている広告画像を描画した広告画像領域を複数設け、その広告画像（広告画像領域）の表出時間を、コマ数の観点からも多くするようにしても良い。
【０２２１】
このような場合において、非接触ＩＣタグ２０３は広告画像領域単位に関連して設けられているので、同一の広告画像でありながら、キャラクタ表示や音声出力の内容を変えるようなことにも容易に対応できる。
【０２２２】
（Ｄ−６）  上記各実施形態においては、自動コマ送りモードでは、全ての広告画像（広告画像領域）を表出対象としたものを示したが、指示された範囲内の複数の広告画像領域間で表出対象を変化させるものであっても良い。
【０２２３】
このような制限情報を、範囲の上限位置や下限位置の広告画像領域に対応した非接触ＩＣタグ２０３に記憶させておくようにしても良い。
【０２２４】
（Ｄ−７）  上記各実施形態では、１個の広告画像（広告画像領域）に関連して１個の非接触ＩＣタグ２０３を設けたものを示したが、非接触式、接触式を問わず、他の記憶媒体であっても良いことは上述した通りである。
【０２２５】
（Ｄ−８）  上記各実施形態では、１個の広告画像（広告画像領域）に関連して１個の非接触ＩＣタグ２０３を設けたものを示したが、複数の非接触ＩＣタグ２０３を設けるようにしても良い。
【０２２６】
例えば、広告画像に関する広告補助情報（文字列データや音声・音響データなど）と、広告管理情報（表示時間や有効表示期限など）とを別個の非接触ＩＣタグ２０３に格納するようにしても良く、また例えば、文字列データと、音声・音響データとを別個の非接触ＩＣタグ２０３に格納するようにしても良い。
【０２２７】
このように情報の内容に応じて複数設ける場合において、情報の内容によって、記憶媒体の種類を変えるようにしても良い。
【０２２８】
逆に、所定個数の広告画像毎に、１個の非接触ＩＣタグ２０３を設けるようにしても良い。
【０２２９】
また、シート状部材全体（複数の広告画像）を通じて１個の非接触ＩＣタグ２０３を設けるようにしても良い。この場合において、１個の非接触ＩＣタグ２０３に全ての広告画像の情報を格納していても良く、任意の広告画像の情報を格納していても良い。
【０２３０】
このようにシート状部材全体（複数の広告画像）を通じて１個の非接触ＩＣタグ２０３を設けたとしても、その格納情報に基づいて、広告画像と、表示文字列や音声などとの同期をとれるだけでなく、格納情報に同期用情報が格納されていなくても、その非接触ＩＣタグ２０３に位置を基準に、広告画像と、表示文字列や音声などとの同期をとることができる。
【０２３１】
さらに、１個の広告画像（広告画像領域）に関連して１個の非接触ＩＣタグ２０３を設ける場合であっても、非接触ＩＣタグ２０３を設けない広告画像があっても良い。このような広告画像に対しては、例えば、装置本体側の記憶装置に記憶されているデフォルトの文字列（背景文字列）や音響（背景音響）を出力するようにしても良く、同様に、デフォルトの走行制御を行うようにしても良い。
【０２３２】
（Ｄ−９）  上記各実施形態では、非接触ＩＣタグ２０３を、シート状部材１０の左側端部に設けたものを示したが、他の位置で良いことは勿論である。例えば、右側端部だけでなく、広告画像領域間を連結するマージン領域に設けるようにしても良く、さらには、広告画像領域内（例えば裏面側）に設けるようにしても良い。
【０２３３】
また、左側端部と右側端部とを広告画像領域毎に交互に変更するようにしても良い。また、広告補助情報（文字列データや音声・音響データなど）に係る非接触ＩＣタグは右側端部に設け、広告管理情報（表示時間や有効表示期限など）に係る非接触ＩＣタグは左側端部に設けるようにしても良い。
【０２３４】
（Ｄ−１０）  上記各実施形態では、タグリーダー２０２が有線によって、制御部９５に読み取り情報を与えるものを示したが、タグリーダー２０２が無線によって、制御部９５に読み取り情報を与えるようにしても良い。
【０２３５】
（Ｄ−１１）  タグリーダー２０２が、制御部９５からの読み取り指令に応じて始めて、非接触ＩＣタグ２０３の格納情報を読み取り動作するものであっても良い。
【０２３６】
（Ｄ−１２）  上記各実施形態においては、非接触ＩＣタグ２０３をシート状部材１０に設けたものを示したが、例えば、シート状部材１０と連動して走行するテープを設け、そのテープに非接触ＩＣタグ２０３を設けるようにしても良い。
【０２３７】
（Ｄ−１３）  上記各実施形態においては、タグリーダー２０２がその都度得た文字列データや音声・音響データ等を広告補助出力などに利用するものを示したが、以下のようにしても良い。
【０２３８】
例えば、電源投入直後の正規の１回目の走行時（往動又は復動）において、タグリーダー２０２が非接触ＩＣタグ２０３から得た情報を、制御部９５の内蔵メモリなどに格納しておき、２回目以降の走行では（電源が遮断されるまでは）、タグリーダー２０２が読取動作を実行せず（又は読取出力を無視し）、制御部９５の内蔵メモリなどに格納された情報に基づいて、広告補助動作などを実行するようにしても良い。
【０２３９】
また、以上のように、非接触ＩＣタグ２０３から得た情報を制御部９５の内蔵メモリなどに格納して利用する場合においても、所定周期毎に、タグリーダー２０２が読取動作して、制御部９５の内蔵メモリなどの格納内容をリフレッシュするようにしても良い。
【０２４０】
（Ｄ−１４）  上記各実施形態においては、シート状部材１０の走行方向が上下のものを示したが、左右方向や水平方向（地面に平行）であっても良く、さらには、斜め方向やこれら方向の組合せであっても良い。
【０２４１】
また、湾曲面や屈折面等に沿って走行するものであっても良い。例えば、外壁が湾曲している建物が最近多く出現してきており、そのような湾曲面や屈折面等に沿って、シート状部材を走行させるものであっても良い。この場合には、適宜な位置に、ガイドローラ等のガイド部材が必要となる。
【０２４２】
なお、上述した図１１に示すエンドレスのシート状部材を適用したような場合には、シート状部材を往復動しても良く、巡回駆動（一方向に走行）するようにしても良い。
【０２４３】
（Ｄ−１５）  上記各実施形態では、非接触ＩＣタグに各広告画像の停止時間（表示時間）を記憶しておくものを示したが、停止時間に段階を設け（例えば広告主との契約による）、段階情報を非接触ＩＣタグに記憶しておき、段階情報を非接触ＩＣタグから読み取ったときに時間情報に換算して停止制御するようにしても良い。この場合において、シート状部材の最も上の広告画像及び最も下の広告画像については、非接触ＩＣタグから読み取った段階情報から定まる停止時間の倍の時間を停止時間とし、中間に位置する同じ段階の広告画像とトータルの表示時間を同一にすることが好ましい。
【０２４４】
なお、このようなシート状部材の最も上の広告画像及び最も下の広告画像に対する停止時間の決定方法は、装置本体に設けた記憶装置の記憶内容に従って、停止制御するばあいにも同様に適用できるものである。
【０２４５】
（Ｄ−１６）  上記各実施形態においては、可搬可能な設置型の広告表出装置を示したが、電車、飛行機、船舶、その他車両の荷台などに搭載されるものであっても良い。
【０２４６】
【発明の効果】
本発明の広告表出装置によれば、各広告画像に関連する情報を適切に取り出すことができる、また、シート状部材の広告画像数の増減時においても、広告画像に、その広告画像に関連する情報を容易に対応させることができるようになる。
【図面の簡単な説明】
【図１】第１の実施形態の広告表出装置の外観を示す斜視図である。
【図２】第１の実施形態の広告表出装置の要部構成を取り出して示す概略斜視図である。
【図３】第１の実施形態の広告表出装置の縦断面図（図２におけるIII−III線方向の縦断面図）である。
【図４】図２における上側のモータ軸などの支持構成を示す部分正面図である。
【図５】図３におけるＶ−Ｖ線断面図である。
【図６】第１の実施形態のシート状部材の構成を示す平面図である。
【図７】第１の実施形態の非接触ＩＣタグの格納情報例の説明図である。
【図８】第１の実施形態の広告表出装置の電気的構成を示すブロック図である。
【図９】第１の実施形態の広告表出装置の動作を示すフローチャート（１）である。
【図１０】第１の実施形態の広告表出装置の動作を示すフローチャート（２）である。
【図１１】第１の実施形態の広告表出装置を変形した構成例を示す概略図である。
【図１２】第２の実施形態の広告表出装置の電気的構成を示すブロック図である。
【図１３】第３の実施形態の広告表出装置の要部構成を示す概略図である。
【図１４】本発明の広告表出装置におけり表出窓部と広告画像領域との他の例を示す概略図である。
【図１５】広告画像と広告画像領域との他の関係例を示す説明図である。
【図１６】他の実施形態によるシート状部材の構成例を示す説明図である。
【符号の説明】
１、１Ａ、１Ｂ…広告表出装置、３…広告画像表出部、４…補助広告部、６ａ…表出窓部、１０…シート状部材、１１…上側巻取軸、１２…下側巻取軸、２２…上側パウダーブレーキ、３０…下側パウダーブレーキ、７０−１〜７０−４…シート状部材における広告画像領域、２００…ロータリエンコーダ、２０１…静電気除去ブラシ、２０２…タグリーダー、２０３−１〜２０３−４非接触ＩＣタグ。
【図１】
0004628589.tif 000002
【図２】
0004628589.tif 000003
【図３】
0004628589.tif 000004
【図４】
0004628589.tif 000005
【図５】
0004628589.tif 000006
【図６】
0004628589.tif 000007
【図７】
0004628589.tif 000008
【図８】
0004628589.tif 000009
【図９】
0004628589.tif 000010
【図１０】
0004628589.tif 000011
【図１１】
0004628589.tif 000012
【図１２】
0004628589.tif 000013
【図１３】
0004628589.tif 000014
【図１４】
0004628589.tif 000015
【図１５】
0004628589.tif 000016
【図１６】
0004628589.tif 000017